(57)【要約】  二つの締結部材を相互に連結し、及び分離する締結システムを提供する。さらに、二つの締結部材を封印する方法が提供され、また、近接の締結部材を分離するために適応される装置も使用され、さらに、液体及び／又はガスの自由な流れを防ぐために、締結部材間にオブストラクションを作り出す。
2009542366.tif 000002
【特許請求の範囲】
【請求項１】
締結システムであって、
第一の嵌合表面を含む第一の締結部材、
第二の嵌合表面を含む第二の締結部材であって、該第二の嵌合表面が、該第一の嵌合表面と機能的に係合するように、該第一の嵌合表面とは、実質的に向き合って配置されるように適応する、第二の締結部材、
上側の輪郭部及び下側の輪郭部を備える中間部材であって、該上側の輪郭部及び該下側の輪郭部間で厚みが画定され、該厚みが中心点を備え、中間部材が、第一の引出線の終端部及び第二の引出線の終端部をも備えるものであって、該上側の輪郭部及び該下側の輪郭部間の距離が略中心点で最大である、中間部材、並びに
該中間部材に相互に連結される複数のアームであって、該複数のアームの少なくとも一つが、該第一の嵌合表面及び該第二の嵌合表面の内の一つの外側の表面と係合するために内側の表面を含むものであって、該複数のアームの少なくとも二つが、該第一の嵌合表面及び該第二の嵌合表面を、相互に連結し封印する形態において閉じ込める、アーム、
を含む締結システム。
【請求項２】
前記中間部材の前記上側の輪郭部及び前記下側の輪郭部が、前記第一の嵌合表面又は前記第二の嵌合表面と共に封印部を形成する、請求項１に記載の締結システム。
【請求項３】
前記複数のアームの少なくとも一つが、前記中間部材と回転状に相互に連結される、請求項１に記載の締結システム。
【請求項４】
前記複数のアームの少なくとも一つが、ヒンジを介して、前記中間部材と回転状に相互に連結される、請求項１に記載の締結システム。
【請求項５】
前記中間部材が可動する少なくとも一つの部分を含む、請求項１に記載の締結システム。
【請求項６】
前記複数のアームが二つの固定アームを含み、前記中間部材が、当該二つの固定アームに対して回転できる、請求項１に記載の締結システム。
【請求項７】
前記中間部材が、前記中間部材を通る液体及びガスの少なくとも一つの流れを制御するバルブを含む、請求項１に記載の締結システム。
【請求項８】
前記中間部材が、ヒンジを介して、相互に連結される上半部と底半部を含む、請求項１に記載の締結システム。
【請求項９】
前記中間部材が、前記第一の引出線の終端部、前記中心点、及び前記第二の引出線の終端部によって画定され、平面部に沿って少なくとも一部分に分離する、請求項１に記載の締結システム。
【請求項１０】
前記中間部材が変形できない、請求項１に記載の締結システム。
【請求項１１】
前記中間部材が変形できる少なくとも一つの表面を備える、請求項１に記載の締結システム。
【請求項１２】
前記中間部材が、前記複数のクロージャアームの少なくとも一つとは、異なる材料から構成される、請求項１に記載の締結システム。
【請求項１３】
前記中間部材が少なくとも二つの異なる材料から構成される、請求項１に記載の締結システム。
【請求項１４】
前記複数のクロージャアームの少なくとも一つが変形できない、請求項１に記載の締結システム。
【請求項１５】
前記複数のクロージャアームの少なくとも一つが、変形できる少なくとも一つの表面を備える、請求項１に記載の締結システム。
【請求項１６】
請求項１に記載の締結システムを用いる物品。
【請求項１７】
締結システムであって、
第一の嵌合表面を含む第一の締結部材、
第二の嵌合表面を含む第二の締結部材であって、該第二の嵌合表面が、該第一の嵌合表面と機能的に係合するように、該第一の嵌合表面とは、概して向き合って配置されるように適用する、第二の締結部材、
該第一の嵌合表面及び該第二の嵌合表面と連続的な封印を形成し、かつ、維持するプロファイルを備える、中間部材、並びに
該中間部材に相互に連結される複数のアーム、
を含む締結システム。
【請求項１８】
前記中間部材が分離できる、請求項１７に記載の締結システム。
【請求項１９】
前記中間部材が分離できない、請求項１７に記載の締結システム。
【請求項２０】
前記複数のアームの一つ以上のアームが、前記中間部材に対して固定関係を有する、請求項１７に記載の締結システム。
【請求項２１】
前記アームが、開放位置及び閉鎖位置の少なくとも一つの位置に固定される、請求項２０に記載の締結システム。
【請求項２２】
シーリング装置であって、
上側の輪郭部及び下側の輪郭部を備える中間部材であって、該上側の輪郭部及び該下側の輪郭部間で、厚みが画定され、該厚みが中心点を備え、該中間部材が第一の引出線の終端部及び第二の引出線の終端部をも備えるものであって、該上側の輪郭部及び該下側の輪郭部間の距離が略中心点で最大である、中間部材、並びに
当該中間部材に相互に連結される複数のアーム、
を含むシーリング装置。
【請求項２３】
前記中間部材の前記上側輪郭部及び前記下側輪郭部が、複数の凹部を備える起伏表面を含む、請求項２２に記載のシーリング装置。
【請求項２４】
前記複数のアームの少なくとも一つが、前記中間部材に回転状に相互に連結される、請求項２２に記載のシーリング装置。
【請求項２５】
前記中間部材が可動する少なくとも一つの部分を含む、請求項２２に記載のシーリング装置。
【請求項２６】
前記複数のアームが二つの固定アームを含み、前記中間部材が、当該二つの固定アームに対して回転できる、請求項２２に記載のシーリング装置。
【請求項２７】
前記中間部材が、前記中間部材を通る液体及びガスの中の少なくとも一つの流れを制御するためのバルブを含む、請求項２２に記載のシーリング装置。
【請求項２８】
前記中間部材が、ヒンジを介して、相互に連結される上半部及び下半部を含む、請求項２２に記載のシーリング装置。
【請求項２９】
前記中間部材が、前記第一の引出線の終端部、前記中心点、及び前記第二の引出線の終端部によって、画定される平面部に沿って、少なくとも一部分に分離する、請求項２２に記載のシーリング装置。
【請求項３０】
前記上側の輪郭部及び前記下側の輪郭部の中の少なくとも一つが変形できる、請求項２２に記載のシーリング装置。
【請求項３１】
前記中間部材が、前記複数のアームの少なくとも一つとは、異なる材料から構成される、請求項２２に記載のシーリング装置。
【請求項３２】
前記中間部材が、少なくとも二つの異なる材料から構成される、請求項２２に記載のシーリング装置。
【請求項３３】
前記複数のアームの少なくとも一つが変形できる少なくとも一つの表面を備える、請求項２２に記載のシーリング装置。
【請求項３４】
締結システムであって、
第一の嵌合表面を含む第一の締結部材、
第二の嵌合表面を含む第二の締結部材あって、該第二の嵌合表面が、該第一の嵌合表面と機能的に係合するように適応する、第二の締結部材、
開放終端オリフィス及び閉鎖終端オリフィスを備える第一のスライダー、
開放終端オリフィス及び閉鎖終端オリフィスを備える第二のスライダーであって、該第一のスライダーの開放終端オリフィスが、分離可能な中間部材を形成するために、該第二のスライダーの開放終端オリフィスと並置されるように向けられ、それによって、分離可能な中間部材が、クロージャ部材の嵌合表面との封印を維持する、第二のスライダー、並びに、
該第一及び第二のスライダーの各々に相互に連結される少なくとも一つのクロージャアームであって、第一及び第二の嵌合表面の一方の外側の表面に対してプレスするための内側の表面を含み、さらに、該クロージャアームの少なくとも二つが、該第一及び第二の嵌合表面を連結し、かつ、封印される形態で閉じ込める、クロージャアーム、
を含む締結システム。
【請求項３５】
封印を形成するためのクロージャアセンブリであって、
第一及び第二のクロージャ部材であって、該第一のクロージャ部材が、該第二のクロージャ部材の第二の嵌合表面と係合するための第一の嵌合表面を含み、該第一及び第二の嵌合表面が、縦方向の長さＬにわたって拡がる、第一及び第二のクロージャ部材、並びに
第一及び第二の嵌合表面間の縦方向の長さＬの少なくとも一部分に沿ってスライドすることが可能なスライダーであって、該スライダー、該第一及び第二の嵌合表面が、縦方向の長さＬに沿って、複数の位置に閉じられた封印を形成する、スライダー
を含む、封印を形成するためのクロージャアセンブリ。
【発明の詳細な説明】
【技術分野】
【０００１】
本発明の実施態様は、一般的には、少なくとも二つの部材を確実に結び付け、及び/又は封印して相互に連結するための方法及び装置に関する。
【背景技術】
【０００２】
締結装置は、凹凸システムを利用して連結する、二つの順応性のある縦長の構成要素を、典型的には含み、その中でも、縦方向に一定の間隔を置いて並べたレ−ルは、滑動部を動かすことによって連結し、分離する。そのように締結装置は、いろいろな物品、たとえば、衣服、容器、バッグ、潜水服、宇宙服、ドライバッグ、ケム／バイオシェルタ−、ビビィサック、等を開閉するために、長期期間使用されていたが、それらは、度々、液体及び／又はガスの浸透を許し、そして、それ故、気密構造及び/又は液密構造の封印が望まれている状況下においては、役に立たない。すなわち、たとえ、防水の締結システムが利用できるとしても、それらは、概して、完全には液密構造ではなく、液体及び/又はガスの幾らかの量が、提供されるシ−ルに対して浸透する。それにもかかわらず、他の締結システムは、操作するのに難しく、高価であり、重く、及び/又は、それらは、液密構造及び/又は気密構造の閉じるものを設置するために、締結システムの締め具上にカバ−材料の使用を必要とする。
【発明の概要】
【発明が解決しようとする課題】
【０００３】
このように、液体及び/又は気体が封印に出入りすることを実質的に防ぎながら、閉じられ、締結され又は封印される部材の開閉を促進する装置を利用する、新規な締結方法が提供される。以下に、バッグ、ジャケット、防水ズボン、宇宙服、容器、等に連結するために適する改良された締結システムであって、締結し、閉じて、封印をし、及び/又は再び開くことを促す、スライダー装置又は封印装置を含むその締結システムを開示する。
【課題を解決するための手段】
【０００４】
本発明は、多様な異なるバージョン又は実施態様を含むことを理解されたい。そして、この要約は、限定することを意味するものではないし、包括することも意味するものではない。この要約は、必ずしも全ての実施態様ではないが、いくつかの実施態様の一般的な説明を、ある程度、提供することができ、ある実施態様のより詳細な説明をも、ある程度含む。
【０００５】
本発明の一つの実施態様は、例として布帛の二つの片を連結するための締結システムを提供する。ここに記載されている、いくつかの実施態様に関連して使用されている、「締結システム」は、少なくとも二つの要素をつなげる装置を意味する。締結システムが、液密性、防水性、及び/又は気密性のシールを作り上げることができることが、この発明の一つの態様である。ここに意図されるように、締結システムは、凹み線及び凸線タイプのバッグをつなぐような幾種の用途、軍隊用途（例えば、遺体袋及び寝袋）、航空宇宙用途（例えば、クリーンルーム用シール、宇宙服）、水中用途、その他の取り巻く環境の封印が必要とされるいかなる用途においても使用することができる。一般的に、本発明の一つの実施態様は、レール締結具を有する二つの締結部材を含み、その二つの締結部材は、縦方向に一定の間隔を置いて配置された、連結する複数の凹凸部、たとえば、レールを、含む凹凸手段を介して連結するレール締め具を有する。ここで使われているように、「凹凸部」又は「レール」は、たとえば、対応部材において嵌合表面上の少なくとも一つの凹部と連結する、嵌合部材の一つの表面部上の少なくとも一つの凸部によって作製される、締結形状、クロージャー、又は封印を含むことが意図され、従来の凹凸形状以外の締結形状もまた、この発明の範囲内であることを理解されたい。使用に際しては、レールは、互いに近接した状態で配置され、相互に力をかけられ、それによって、かみ合わされ、閉じられ、ロックされ、及び封止された関係にある、二つの締結部材を維持する。このかみ合わされた配列を促進するために、レールの締め具に沿って動かされるように、二つのレール締め具を連続的にかみ合わせる装置が使用される。レールの締め具をはずすために、装置は、使用の第二の位置に移動し、レール締め具に沿って動かし、それによって、締結部材を分離する。
【０００６】
それゆえに、本発明の一つの実施態様は、連結されたレール締め具を分離する中間部材を含み、締結部材間の間隙を埋め、封印されている部材の中に若しくは外に、液体、ガス、空気若しくは流動性物質の進入及び排出することを防ぎ又は実質的に防ぐ、並進機構又はシーリング装置を提供する。一つの実施態様のシーリング装置は、たとえば、バッグを閉めるために、個々の締結部材のレールに同時に力をかける固定のコントロールアームと協働する、少なくとも一つの可動のコントロールアームを含む。封印を開けるために、シーリング装置が、使用の第二の位置に移動し、そこでは、近接したコントロールアームは、協働しない。このようにして、シーリング装置の中間部材が、締結部材を分離することを可能とする。下記の詳細な説明の検討で、当業者であれば、この作業を終了するために、使用される、多くのタイプの中間部材があることを認識するであろう。
【０００７】
本発明のもう一つの態様は、締結システムであって、
第一の勘合表面を含む第一のクロージャ部材、並びに
第二の勘合表面を含む第二のクロージャ部材であって、その第二の嵌合表面が、その第一の勘合表面と適切に作用して嵌合するために、その第一の嵌合表面と実質的に反対側に位置取りするために適用する、第二のクロージャ部材、並びに
傾斜させたプロファイルを有する中間部材、並びに
中間部材に連結される複数のクロージャアームであって、その第一及び第二の嵌合表面の一つの外側の表面に対して圧力をかけるために内側の表面を含み、その少なくとも二つのアームが、第一及び第二の嵌合表面を連結して封印された形態に閉じ込める、クロージャアーム、
を含む締結システムを提供する。
【０００８】
さらに、本発明の他の実施態様は、締結システムであって、
第一及び第二のクロージャ部材であって、その第一のクロージャ部材が、その第二のクロージャ部材の第二の嵌合表面を嵌合するために第一の嵌合表面を含み、その第一及び第二の嵌合表面が第一及び第二のクロージャ部材の長さを拡張する、第一のクロージャ部材及び第二のクロージャ部材
並びに、
第一と第二の嵌合表面の少なくとも一部間でスライドすることが実行可能である中間部材であって、中間部材と第一及び第二の嵌合表面が、閉じられた封印を形成する、中間部材、
を含む締結システムを提供する。
【０００９】
またさらに、本発明の他の実施態様は、締結システムであって、
第一の嵌合表面を含む第一のクロージャ部材、並びに
第二の嵌合表面を含む第二のクロージャ部材であって、第二の嵌合表面が、第一の嵌合表面を適切に嵌合するために、その第一の嵌合表面とは実質的には反対に位置取りするために適用する、第二のクロージャ部材、並びに
実質的にダイヤモンド形状のプロファイルを備える中間部材であり、その中間部材が、第一の嵌合表面を封印して係合するために第一の表面を含み、さらに第二の嵌合表面を封印して係合するために第二の表面を含み、そして、その中間部材が、第一及び第二のクロージャ部材の第一及び第二の嵌合表面で閉じられた封印を形成する、中間部材、
を含む締結システムを提供する。
【００１０】
またさらに、本発明の他の実施態様は、締結システムであって、
封印を形成するための第一並びに第二の手段であって、封印を形成するための第一及び第二の手段を適切に係合するための手段であり、封印を形成するための第一の手段を備え、封印するための手段を有する少なくとも第一の表面、及び封印を形成するための第二の手段を備え、封印するための手段を有する少なくとも第二の表面を含めて適切に係合するための手段であって、
適切に係合するための手段を、封印を形成するための第一及び第二の手段の縦の長さ方向に沿って動かすとき、適切に係合するための手段を封印して係合する封印を形成するための第一並びに第二の手段を、
含む締結システムを提供する。
【００１１】
さらにまた、本発明の別の実施態様は、物品と共に使用するために適用する締結システムであって、その物品が少なくとも二つの近接部を含み、クロージャ装置が、
物品の二つの近接部を相互に連結するために、封印を形成するための第一並びに第二の手段であって、
封印を形成するための第一並びに第二の手段を適切に係合するための手段であって、封印を形成するための第一の手段を備える、封印するための手段を有する少なくとも第一の表面、及び封印を形成するための第二の手段を備える封印するための手段を有する少なくとも第二の表面を含む、適切な係合のための手段であって、
適切に係合するための手段を、シールを形成するための第一並びに第二の手段の縦の長さ方向に沿って、動かすときに、適切に係合するための手段を封印して作動させる、封印を形成するための第一並びに第二の手段であって、封印が物品の二つの近接した部分を同時に引き寄せる、第一並びに第二の手段
を含む、締結システムを提供する。
【００１２】
さらに、本発明の別の実施態様は、第一の嵌合表面及び第二の反対側の嵌合表面と共に使用するためのスライダーであって、その第一及び第二の嵌合表面が縦の長さＬを有し、
第一の嵌合表面を封印して係合するための第一の表面及び第二の嵌合表面を封印して係合するための第二の表面で、スライダーコアの長さ方向に沿って分離される第一及び第二の嵌合表面を含む、スライダーコアであって、
第一及び第二の嵌合表面の縦の長さＬの方向に沿って、多くの所に、第一及び第二の嵌合表面を封印して係合する、スライダーコア、
を含むスライダーを提供する。
【００１３】
本発明の要約は、本発明の充分に広い範囲の代表的なものとして、意図されていないし、解釈されるべきではない。本発明の範囲に関しての添付された図面、詳細な説明及びその他は、本発明のこの要約においての要素、成分、等を含むか含まないにかによって、左右されないことは、勿論のこと、本発明の要約の詳細内容のいろいろな態様によって、本発明は、明らかにされる。
【図面の簡単な説明】
【００１４】
明細書の一部に組み込まれ、構成する、添付された図面は、本発明の実施態様を示し、さらに、上述された本発明の一般的な記載及び下記に示される図面の詳細な記載と共に、これらの発明の原理を説明することに対して有効である。
【図１】連結された二つの締結部材の斜視図である。
【図２】本発明の一つの実施態様の中間部材の上面斜視図である。
【図３】図２に示された、中間部材の底面斜視図である。
【図４】図２に示された、中間部材の正面図である。
【図５】図２に示された、中間部材の左側面図である。
【図６】図1と同様に斜視図であって、本発明の一つの実施態様の中間部材が、連結された二つの締結部材間の間隙に位置することを示す、斜視図である。
【図７】図６と同様に斜視図であって、上側の締結部材が、理解しやすいように取り除かれていることを示す、斜視図である。
【図８】図６の右側面図である。
【図９】図８の断面図である。
【図１０】本発明の一つの実施態様のシーリング装置の正面斜視図である。
【図１１】図１０で示された、シーリング装置の背面斜視図である。
【図１２】図１０で示された、シーリング装置の底面斜視図であって、可動のコントロールアームが封印開放位置にあることを示す、斜視図である。
【図１３】二つの締結部材に結合するシーリング装置の斜視図である。
【図１４】図１３の断面図である。
【図１５】図１３と同様に斜視図であって、可動のコントロールアームが、シール開放位置に位置取ることを示す、斜視図である。
【図１６】引き手を備えるシーリング装置の斜視図である。
【図１７】可動のコントロールアームが、封印閉鎖位置にあって、図１３のシーリング装置の右側面図である。
【図１８】可動のコントロールアームが、封印開放位置にあって、図１３のシーリング装置の右側面図である。
【図１９】可動のコントロールアームが、封印開放位置にあって、図１３のシーリング装置の右側面図であり、シーリング装置が、締結部材の離脱を引き起こすために移動することを示す、右側面図である。
【図２０】本発明の別の実施態様のシーリング装置の斜視図である。
【図２１】図２０で示された、シーリング装置の背面斜視図である。
【図２２】二つの締結部材を相互に連結した、図２０のシーリング装置の上面斜視図である。
【図２３】図２０のシーリング装置の上面斜視図であって、上側の締結部材が、理解しやすいように、取り除かれていることを示す、上面斜視図である。
【図２４】図２２のシーリング装置の左側面図である。
【図２５】図２４と同じシーリング装置の左側面図であって、下側の締結部材が、理解しやすいように取り除かれていることを示す、左側面図である。
【図２６】締結部材間で離脱が生じている状態を示す、図２０のシーリング装置の斜視図である。
【図２７】二つの締結部材が、相互に連結され、封印される状態を示す、図２０のシーリング装置の斜視図である。
【図２８】図２０で示されたものと同様に、本発明の別の実施態様のシーリング装置の正面斜視図であるが、さらに、可動の中間部材を有する。
【図２９】図２８で示された、シーリング装置の上面図である。
【図３０】図２８で示された、シーリング装置の右側面図である。
【図３１】図２８で示された、シーリング装置の正面図である。
【図３２】図２８で示された、シーリング装置の左側面図である。
【図３３】中間部材が、使用時の第一番目の位置にあることを示す、図２８で示された、シーリング装置の左側面図である。
【図３４】中間部材が、使用時の第二番目の位置にあることを示す、図２８で示された、シーリング装置の左側面図である。
【図３５】図２８のシーリング装置の固定のコントロールアームの斜視図である。
【図３６】図２８のシーリング装置に用いられる、回転式の中間部材の斜視図である。
【図３７】図３６に示された、回転式の中間部材の上面図である。
【図３８】図３６に示された、回転式の中間部材の右側面図である。
【図３９】二つの締結部材が相互に連結されることを示す、図２８のシーリング装置の上面斜視図である。
【図４０】図３９と同様に、上面斜視図であって、理解しやすいように、上側の締結部材が、取り除かれたことを示す、上面斜視図である。
【図４１】二つの締結部材を相互に連結する状態を示す、図２８のシーリング装置の底面斜視図である。
【図４２】図４１と同様に、底面斜視図であって、理解しやすいように、上側の締結部材が、取り除かれたことを示す、底面斜視図である。
【図４３】図３９のシーリング装置の右面図である。
【図４４】図４３と同様の右面図であって、理解しやすいように、上側の締結部材が、取り除かれたことを示す、右面図である。
【図４５】図３９の正面図である。
【図４６】図３９と同様の正面図であって、理解しやすいように、上側の締結部材が、取り除かれた状態を示す、正面図である。
【図４７】図３９の上面図である。
【図４８】図４６と同様の上面図であって、理解しやすいように、上側の締結部材が、取り除かれた状態を示す、上面図である。
【図４９】選択的に可動する部分を有する、本発明の別の実施態様の中間部材の正面斜視図である。
【図５０】図４９で示された、中間部材の背面斜視図である。
【図５１】図４９で示された、中間部材の底面斜視図である。
【図５２】図４９の上面図である。
【図５３】図４９の右面図である。
【図５４】図４９の正面図である。
【図５５】図４９の左面図である。
【図５６】二つの締結部材が連結された状態を示す、図４９の中間部材の上面斜視図である。
【図５７】図５６と同様の上面斜視図であって、理解しやすいように、上側の締結部材が、取り除かれた状態を示す、上面斜視図である。
【図５８】二つの締結部材が連結された状態を示す、図４９の中間部材の背面斜視図である。
【図５９】図５８と同様の背面斜視図であって、理解しやすいように、上側の締結部材が、取り除かれた状態を示す、背面斜視図である。
【図６０】二つの締結部材が連結された状態を示す、図４９の中間部材の底面斜視図である。
【図６１】図６０と同様の底面斜視図であって、理解しやすいように、上側の締結部材が、取り除かれた状態を示す、底面斜視図である。
【図６２】図５６の右面図である。
【図６３】図６２と同様の右面図であって、理解しやすいように、上側の締結部材が、取り除かれた状態を示す、右面図である。
【図６４】図５６の左面図である。
【図６５】図６４と同様の左面図であって、理解しやすいように、上側の締結部材が、取り除かれた状態を示す、左面図である。
【図６６】図５６の正面図である。
【図６７】図６６と同様の正面図であって、明瞭のために、上側の締結部材が取り除かれた状態を示す、正面図である。
【図６８】図５６の上面図である。
【図６９】図６８と同様の上面図であって、明瞭のために、上側の締結部材が取り除かれた状態を示す、上面図である。
【図７０】クラムシェル構造を備える、本発明の別の実施態様の中間部材の正面斜視図である。
【図７１】図７０の背面斜視図である。
【図７２】図７０の底面斜視図である。
【図７３】図７０で示された、中間部材の上面斜視図である。
【図７４】図７０で示された、中間部材の右面図である。
【図７５】図７０で示された、中間部材の正面図である。
【図７６】図７０で示された、中間部材の左面図である。
【図７７】二つの締結部材が連結された状態を示す、図７０で示された中間部材の上面斜視図である。
【図７８】図７７と同様の上面斜視図であって、明瞭のために、上側の締結部材が取り除かれた状態を示す、上面斜視図である。
【図７９】図７８と同様の上面斜視図であって、中間部材が使用のために開放位置にあることを示す、上面斜視図である。
【図８０】二つの締結部材を連結した状態であって、図７０で示された中間部材の背面斜視図である。
【図８１】図８０と同様の背面斜視図であって、明瞭のために、下側の締結部材が取り除かれた状態を示す、背面斜視図である。
【図８２】図８１と同様の背面斜視図であって、中間部材が使用のために開放位置にあることを示す、背面斜視図である。
【図８３】二つの締結部材を連結した状態であって、図７０で示されたシーリングデバイスの底面斜視図である。
【図８４】図８３と同様の底面斜視図であって、明瞭のために、上側の締結部材が取り除かれた状態を示す、底面斜視図である。
【図８５】図８４に示されたものと同様の底面斜視図であって、中間部材が、開放位置の状態であることを示す、底面斜視図である。
【図８６】図７７の右面図である。
【図８７】図８６と同様の右面図であって、明瞭のために、上側の締結部材が取り除かれた状態を示す、右面図である。
【図８８】図８７と同様の右面図であって、中間部材が、開放位置の状態であることを示す、右面図である。
【図８９】図７７の左面図である。
【図９０】図８９と同様の左面図であって、明瞭のために、上側の締結部材が取り除かれた状態を示す、左面図である。
【図９１】図９０と同様の右面図であって、中間部材が、開放位置の状態であることを示す、右面図である。
【図９２】図７７の正面図である。
【図９３】図９２と同様の正面図であって、明瞭のために、上側の締結部材が取り除かれた状態を示す、正面図である。
【図９４】図９３と同様の正面図であって、中間部材が、開放位置の状態にあることを示す、正面図である。
【図９５】図７７の上面図である。
【図９６】図９５と同様の上面図であって、明瞭のために、上側の締結部材が取り除かれた状態を示す、上面図である。
【図９７】図９６と同様の上面図であって、中間部材が、開放位置の状態にあることを示す、上面図である。
【図９８】バルブを含む、本発明の別の実施態様の中間部材である。
【図９９】変形した外形を有する、中間部材の代替の実施態様である。
【発明を実施するための形態】
【００１５】
図１から１９を参照しながら、衣服、フード容器、ボディバッグ、ショッピングバッグ、テストチャンバー、防水ズボン、テント、宇宙服、保護用のバイオハザードスーツ、マスク、寝袋、サンプルバッグ、又はその他の選択的に開閉するために設計され、閉められたときに一般的には、気密性及び/若しく液密性がある、すべての部材に組合される、少なくとも二つの締結部材４を相互に連結し、分離する、スライダーの一つの実施態様、以下、「シーリング装置」２を説明する。次の検討で明らかなように、締結部材４の位置及びシーリング装置２の使用のため、ギャップ８が生ずる。さらにとりわけ、ここで意図されるように締結部材４は、対応する締結部材４との連結する関係のために、複数の凹凸構造又レール１６を備えるレール締め具１２を使用する。ギャップ８は、液密性又は気密性もない、シールになるという結果をもたらすので、有害である。このように、本発明の一つの実施態様は、実質的に、液体及び/又はガスが、封印された境界面に浸透することを防ぐために、締結部材４の間に中間部材２０を提供する。このように、中間部材２０は、シールの完全性を維持するプラグ(栓)としての作用をする。中間部材２０は、また、連結されたレール締め具１２を分離するための仕組みをも提供する。レール締め具１２を封印し、さらに再封印するために、対応するレール締め具１２のレール１６を連結するために、必要な力を供給するコントロールアームを使用する。
【００１６】
図１を特に参照すると、本発明の実施態様によって使用される、締結部材４が示されていることが理解できる。一組の締結部材４を利用することによって、度々、二つの片の布帛又はその他の材料が相互に連結され、その場合に、締結部材４は、布帛又はその他の材料の上に備え付けられ（縫合され、溶接され、接着され、テープされ、等）、そして相互に連結するために設計される。ところが、備え付けることは、他のいかなる、先行技術の公知の技術によって、実行されてもよい。この方法における、締結部材４を配置することに関する問題は、シールの開閉を促進する。あるタイプのスライダー機構に適応するために、締結部材間に、ギャップ８が存在することである。実施において、二つの片の布帛は、上側の締結部材４Ｕと下側の締結部材４Ｌの態様によって、連結される。上側の締結部材４Ｕは、上側のレール締め具１２Ｕを備え、下側の締結部材４Ｌは、下側のレール締め具１２Ｌを備える。各々のレール締め具１２は、上側の締結部材４Ｕと下側の締結部材４Ｌの間に、メカニカルシールを供給するために連結する、複数の縦方向に配置されるレール１６を含む。
たとえば、封印されたバッグに目を向けると、シーリング装置は、レール締め具１２の長さ方向に沿ってスライドされ、結果として、連結されたレールを離脱し、分離する。
【００１７】
図２から５を特に参照すると、中間部材２０は、前述のギャップ８を閉塞し、封印が開閉する機構を提供することが理解できる。特に、中間部材２０は、上側のレール締め具及び下側のレール締め具と係合する装置であって、レール締め具の長さ方向に沿って、中間部材２０をスライドすることによって、連結されたレールを分離する。中間部材２０は、左表面部２４を含み、その左表面部２４は、レール締め具の少なくとも幅の範囲に及ぶ幅の大きさを画定する右表面部２８から間隔をあけて配置される。加えて、中間部材２０は、上側の輪郭部３６及び下側の輪郭部３２を含み、それらは、液体及び/又はガス耐性がある封印を提供するために、レール締め具のレールと相互作用をする、凹部４０によって画定される。中間部材２０の凹部４０、上側の輪郭部３６、及び下側の輪郭部３２は、レール締め具の個々のレール間の間隙に対応し、一致するように、特別に設計されている。ところが、当業者であれば、上側の輪郭部３６及び下側の輪郭部３２が、耐性のある封印及び/又はレール締め具を分離することの機能性を提供するためにレール締め具のレールを適合させることは、必ずしも必要ないと考えるだろう。下記にさらに詳細に述べるように、実施において、中間部材２０の下側の輪郭部３２が、下側のレール締め具に係合し、中間部材２０の上側の輪郭部３６が、上側のレール締め具に相互に連結する。中間部材の上下にレール締め具が、相互に連結され、特に対応する上側のレール締め具及び下側のレール締め具が、それぞれ相互に連結する。このように、レール締め具の相互に連結されたレール内で締結部材のエッジに沿って中間部材２０をスライドすることによって、上側の締結部材及び下側の締結部材が分離され、それによって、たとえば、バッグ内に保管されていた物を入手することができる。
【００１８】
図２から５で示されるように、中間部材２０は、厚みを画定する上側の輪郭部３６及び下側の輪郭部３２を備えている。中間部材は、示されるように、第一の引出線の終端部３８及び第二の引出線の終端部３９の間に中心点３７をさらに含む。上側の輪郭部３６と下側の輪郭部３２の距離は、締結部材のレール締め具の移動と封印を可能とするために両方の引出線の終端部の所よりも中心点３７のところの方が大きい。中間部材２０は、少なくとも、充分に閉じられた状況下で、締結部材のレール締め具で、連続的な封印を形成し、維持する形状のプロファイルを備える。本発明は、望ましい大きさ、締結部材の順応性、長さ、及び中間部材の位置取りの選択、を提供して、システムのあらゆる技術的な処理を可能とする。
【００１９】
図６から９を参照すると、中間部材２０は、上側の締結部材４Ｕと下側の締結部材４Ｌの間に配置されていることが示されていることが理解できる。ここで、上側の締結部材４Ｕ及び下側の締結部材４Ｌのレール１６が、中間部材２０の凹部４０に、どのように係合するかが理解されるだろう。加えて、中間部材２０の上側の輪郭部３６及び下側の輪郭部３２が、下側のレール締め具１２Ｌ及び上側のレール締め具１２Ｕの各々個々のレール４４の間隙に係合する。このようにして、中間部材２０は、上側の締結部材４Ｕと下側の締結部材４Ｌ間のギャップを閉塞する。それによって、二つの締結部材４の間の液体及び／又はガスの流れを実質的に防ぐ。図９は、レール締め具のレール１６の関係を示し、さらに、レール締め具に沿って中間部材２０が移動しやすく中間部材２０及びレール締め具１２の間の摩擦を減らすある程度の間隙を提供するといった、中間部材２０の上側の輪郭部３６及び下側の輪郭部３２が、中間部材２０の中間部材凹部４０に対してどのように相互作用するかを示している。
【００２０】
図１０から１２参照すると、本発明の一つの実施態様のシーリング装置２が示されていることが理解できる。特に、分離されたレール締め具を再封印するために、多数のコントロールアームが示されている。この例において、可動のコントロールアーム４８及び固定のコントロールアーム５２は、中間部材２０と結合する。実施において、中間部材２０が、上側の締結部材と下側の締結部材の間に配置される状態で、固定のコントロールアーム５２は、下側の締結部材の下に配置され、可動のコントロールアーム４８は、上側の締結部材の上に配置される。可動のコントロールアーム４８は、ヒンジ５６を介して、中間部材２０と相互に連結される。本発明のいくつかの実施態様を述べて、実施されたように、「ヒンジ」は、ヒンジ、バネ、又は固定されたポイントに適切な動きを可能とする可動する他の接合部を含めて、いかなる施回軸の接合部を表す。当業者であれば、ヒンジが、分離した要素又は曲がった部分の一つの要素であると認識するであろう。各々の固定コントロールアーム５２は、中間部材２０に安定に連結されるワンピース構造が好ましい。ところが、当業者であれば、シーリング装置の各々の側から、シールの選択的な開閉を可能とするために、コントロールアームの一つ以外の全てのアームが可動するか、三つのコントロールアームが可動するか又は四つ全ての可動のコントロールアームが可動するかと、認識するであろう。当業者であれば、また、可動のコントロールアーム４８が、使用時の開放位置又は閉鎖位置において、固定するためにロック機能を含むと認識するであろう。また、コントロールアームが移動した時に、シーリング装置２のスライド部が、レール締め具と分離する様に、コントロールアームは移動可能であることが理解される。それから、移動したコントロールアームは、再封印を可能とするために、中間部材２０に再び取り付けられるか、代替として、一回限りの実施として、廃棄される。この開示の残りの検討で明確なように、一セットの可動及び固定のコントロールアームは、封印の完全性を維持することを補うために、閉鎖位置にそれらを固定する、強い磁力を有して用いられる。さらに、横方向のヒンジで開示したが、当業者であれば、本発明の範囲から逸脱しないで、ヒンジが、中間部材２０との関係で、縦方向に配置されてもよいことは、認識するであろう。
【００２１】
図１３から１９を参照すると、シーリング装置２の一つの態様の実施が提供されることが理解できる。上述したように、中間部材２０は、上側の締結部材４Ｕ及び下側の締結部材４Ｌを分離するための方法を提供する。締結部材４を再封印するために、シーリング装置２が、レール締め具１２に沿って動くときに、可動のコントロールアーム４８は、レール締め具のレール１６を連結するのに、必要とされる圧縮力を提供するために、固定のコントロールアーム５２と協働して動く。このように、固定のコントロールアーム５２に近接して、最初の閉鎖した使用の位置において、可動のコントロールアーム４８が位置取りされる限り、レール締め具１２に沿って、シーリング装置２の位置がどのようであっても、封印はその完全性を維持する。可動のコントロールアーム４８の一つが、第二番目の開放した使用の位置に、動かされる場合、シーリング装置２を移動し、上側のレール締め具１２Ｕと下側のレール締め具１２Ｌを再連結する力は必要ない。このように、レール締め具４は、分離され、封印は壊される。
【００２２】
図１３及び１４に、特に戻ってみると、上側の締結部材４Ｕ及び下側の締結部材４Ｌに連結された、シーリング装置２が提供され、そして、中間部材２０の前後のレール１６は、連結され、また、中間部材２０に係合された、レール１６は分離されることが理解できる。ここで、可動のコントロールアーム４８は、最初の閉鎖した使用の位置に配置され、そして、可動のコントロールアーム４８は、固定のコントロールアーム５２と近接した関係にあり、上側のレール締め具１２及び下側のレール締め具はそれらの間に配置される。当業者であれば、図１４を特に参照して、紙面に対して、左か右にシーリング装置２を動かすことによって、ギャップ８が、上側のレール締め具１２Ｕ及び下側のレール締め具１２Ｌの間に形成されることがわかる。ところが、コントロールアームが、ギャップ８を通過する時に、上側のレール締め具１２Ｕ及び下側のレール締め具１２Ｌを再封印する。封印を開けるために、可動のコントロールアーム４８は、第二番目の開放の使用の位置に移動し、それによって、力の移動位置が変わり、分離されたレール締め具１２を封印する。最初、可動のコントロールアーム４８が、使用の第二の位置に移動する時、ギャップ８が、上側のレール締め具１２Ｕ及び下側のレール締め具１２Ｌの間に形成される。シーリング装置２が、開放された可動のコントロールアーム４８の位置の方向から、離れるように移動すると、ギャップ８が、上側のレール締め具１２Ｕ及び下側のレール締め具１２Ｌの間に分離部６０、たとえば、バッグの中身を入手できるような分離部となる。可動のコントロールアームが、スタートした方向の、第二の開放の使用の位置にあって、シーリング装置２を動かすと、結合した固定のコントロールアーム５２と共に、最初の閉鎖した使用の位置にある、もう一方の可動のコントロールアーム４８が、レール締め具１２を再封印する。可動のコントロールアームは、レール締め具１２に対して、回転状又は平行的な動きをして、開放の位置に移動することを理解されたい。シーリング装置２が、スタート位置に、一旦戻ると、可動のコントロールアーム４８は、最初の閉鎖した使用の位置に再度位置取りをし、上側のレール締め具１２Ｕ及び下側のレール締め具１２Ｌの間にあるギャップ８を封印する。
【００２３】
次に、図１６を特に参照すると、当業者であれば、トラック６４をスライドする引き手が、レール締め具１２に沿って、シーリング装置２の移動を促進する引き手６８を含む、少なくとも一つの可動のコントロールアーム４８に、備えられることを理解するであろう。
【００２４】
図２０から２７を参照すれば、二つの固定コントロールアーム５２を備える一方だけからなるシーリング装置２が提供されていることが理解できる。さらに見ると、この実施態様の中間部材２０は、上側の固定コントロールアーム及び下側の固定コントロールアームの側面に配置されている。固定コントロールアームは、特定の方向に動かされる場合に、中間部材と同一側（前後側）に配置され、レール締め具１２を封印するために協力し合う。シーリング装置２が、反対の方向に動かされると、中間部材２０は、レール締め具１２を分離する。実施において、特別に図２６及び２７を参照すると、締結部材４は、コート、テント、バッグ、等に連結され、その中で、永久シールが、終端地点７２であって、上側の締結部材４Ｕと下側の締結部材４Ｌの間に存在することが理解できる。当業者であれば、永久シールは、熱溶接、超音波溶接等によって作製されることは、理解できるであろう。シーリング装置２が移動する場合に、分離部６０は、上側の締結部材４Ｕと下側の締結部材４Ｌの間に生ずる。それによって、テント、バッグ、等の中身を入手できる。締結部材２をスタート地点に戻すことによって、封印が再度される。すなわち、中間部材２０の第一の引出線の終端部３８が、終端地点７２に接触する時に、封印７４が、上側の締結部材４Ｕと下側の締結部材４Ｌの間に形成される。
【００２５】
図２８から４８を参照すると、回転式の中間部材２０を備えるシーリング装置２についてのさらに別の実施態様が提供されていることが理解できる。さらによく見ると、本発明のこの実施態様の中間部材２０は、二つの固定コントロールアーム５２に関して、選択的な回転を可能とする。そして、中間部材２０は、ピボット８０を介したコントロールアームに備え付けられる。この中間部材２０は、上述したものと、たいへん似ており、上側の輪郭部３６及び下側の輪郭部３２が、具備されている。ところが、上側の締結部材４Ｕ及び下側の締結部材４Ｌの分離を促進するために、中間部材２０は、選択的に回転し、約９０°まで回転することが好ましく、結果として、中間部材２０がレール締め具に沿って動くときに、比較的大きなギャップ及び分離部を作り出すために、レール締め具１２を強引に開放する。
【００２６】
図３３及び３４を特に参照すると、この実施態様の中間部材２０は、最初の、無回転の、使用の位置と、第二の、回転した、使用の位置、それぞれの状態で示されていることが理解できる。本発明のこの実施態様は、上側の締結部材４Ｕと下側の締結部材４Ｌの分離を可能とし、封印の所があるにもかかわらず、シーリング装置２に接近できる。加えて、中間部材２０を回転することができることによって、中間部材２０の輪郭部及びレール締め具１２は、曝されクリーニングを促進する。それによって、封印の完全性に影響を与える有害物を取り除くことによって封印の耐性を維持することを補うことが可能となる。
【００２７】
図３５から３８を特に参照すると、本発明のこの実施態様の構成部分が示されていることが理解できる。ここに、中間部材２０が、二つの固定コントロールアーム５２を連結するシャフト８８に、回転状に係合するアパーチャー８４を含む。当業者であれば、レール締め具に沿って中間部材２０の動きを促進するために、一つ以上のコントロールアームも、また、シャフト８８に、回転状に連結されることが理解できるであろう。
【００２８】
図３９から４８を参照すると、本発明のこの態様の実施が示されていることが理解できる。ここに、固定のコントロールアーム５２は、上側の締結部材４Ｕに近接して配置されていることが示されている。それによって、上側のレール締め具１２Ｕと下側のレール締め具１２Ｌ間の強い力が保たれている。図４３を特に参照すると、シーリング装置２が、左に移動すると、中間部材２０は、上側のレール締め具１２Ｕと下側のレール締め具１２Ｌに切り離されることが理解できる。シーリング装置２が右に戻ることによって、固定コントロールアーム５２が、上側のレール締め具１２Ｌと下側のレール締め具１２Ｌを再連結させる。中間部材２０の回転は、上側のレール締め具１２Ｕと下側のレール締め具の間で形成される大きなギャップを見込み、中間部材２０及び各々のレール締め具１２のレールのクリーニングを可能とする。
【００２９】
図４９から６９を参照すると、タブ９６に連結された可動のセグメント９２を含む、中間部材２０のさらに別の実施態様が提供されていることが理解できる。上述したように、中間部材２０が、下側の締結部材４Ｌと上側の締結部材４Ｕの間に配置され、その二つの締結部材間のギャップが塞がれる。タブ９６を備える中間部材２０の可動のセグメント９２を移動することによって、レール締め具１２は分離され、それによって、大きなギャップと、二つのレール締め具１２の間の分離部を作り出す力を作り出す。実施において、タブ９２は、レール締め具１２を分離するために、上のほうに（又は、代替的には回転して）、移動する。第二の開放位置に可動のセグメント９２を固定する間に、タブ９６は、上側の締結部材４Ｕと下側の締結部材４Ｌの分離を完全にするために、レール締め具１２に沿って中間部材を可動的にすることを促進する目的で使用される。上側の締結部材４Ｕと下側の締結部材４Ｌは、レール締め具に沿って手動によって動かすか、上述された（図示はされていない）コントロールアームを利用して分離される。
【００３０】
図７０から９７を参照すると、図４９から６９で示されたものと、幾分似ている本発明の中間部材２０のさらに別の実施態様が提供されていることが理解できる。さらに見ると、本発明のこの実施態様において、中間部材２０は、クラムシェル形態を備えるものであって、上半分部１００が、縦方向のヒンジ１０８を介して、底半分部１０４に回転状で連結される。斜めにされたタブ９６も、また提供され、斜めにされたタブに力を加えることによって、クラムシェルの形をした、中間部材２０に力がかかり、中間部材は広がって大きくなり、それによって、上側のレール締め具１２Ｕと下側のレール締め具１２Ｌは分離する。実施において、上側の締結部材４Ｕと下側の締結部材４Ｌの分離を促進するために、タブ９６は、プレスされ、そして、ヒンジで連結された上半分部１００は、中間部材２０の前後方向にレールを引き起こす、底半分部１０４から分離し、結果として、上側の締結部材４Ｕと下側の締結部材４Ｌの間を離し、ギャップを形成する。それから、レール締め具１２のエッジに沿って、開放形態の中間部材２０を動かすことによって、締結部材４は開放される。締結部材は、レール締め具に沿って手動で動かすか、上述した（図示はされていない）コントロールアームを利用して分離される。
【００３１】
図９８を参照すると、バルブ１１２を含む、本発明の別の実施態様の中間部材２０が提供されていることが理解できる。さらによく見ると、中間部材２０は、一般的には、上側の締結部材と下側の締結部材間のギャップを備え用いられるが、封印された環境にアクセスする方法に関し、選択的であることが望ましいことは、当業者であれば、理解するであろう。このように、本発明の一つの実施態様は、たとえば、バッグの中身に熱がかけられたとき、圧力を逃がす、中間部材２０に備え付けられたバルブ１１２を提供する。さらに、当業者は、ここにおいて意図されたバルブ１１２は、封印された環境内の空気状態を、維持するためにも使われることを、理解するであろう。いろいろなタイプのバルブ、たとえば、使い捨てのチェックバルブ、プレッシャーリリーフバルブ等は、本発明のこの実施態様の中間部材２０に対して検討される。
【００３２】
図９９を参照すると、中間部材２０の形状を、選択的に変更するために使用されるボタン１１６含む、本発明の中間部材２０の別の実施態様が示されていることが理解できる。ここにおいて、ボタン１１６が、中間部材２０内で移動する時に、中間部材２０が、拡がるように、少なくとも部分的に変形する材料で構成される。ここにおいて使われる、「変形する」は、また、クロージャアームの開閉中、たとえば、カムを介して、中間部材の材料に働く力によって、中間部材２０の形状のいかなる変化をも表す。中間部材２０の拡張によって、上側の輪郭部３６及び／又は下側の輪郭部３２が、上側のレール締め具及び／又は下側のレール締め具の間の間隙を埋めて、さらに確実に係合することを助長する。実施例及び制限ない態様を手段として、中間部材２０の応用展開は、また、ポンプ、調整可能な袋等によって、目的を達せられる。
【００３３】
本発明の様々な実施態様が、詳細に述べられたが、これらの実施態様の変形及び変更を、当業者であれば、当然に想定できるであろう。ところが、次のクレームで述べられるように、そのような変形及び変更は、本発明の目的及び意図の範囲内であることを特に理解されたい。
【００３４】
本発明の前述の議論は、図面（例示物）及び詳細な説明の目的のために、述べられた。前述の議論は、ここに開示された形態に本発明を制限する意図はない。例えば、前述の詳細な説明において、本発明の様々な特徴は、開示をわかりやすくする目的のために、一つ以上の実施態様に分類して纏められた。開示のこの方法は、クレームされた発明が、各々のクレームで明確に列挙されるよりも、多くの特徴を要求している目的を反映するものとしては、解釈されない。むしろ、次のクレーム映し出すように、発明の態様は、前述で開示した、単一の実施態様の全ての特徴よりも、少ない。このようにして、次のクレームは、この詳細な説明に組み込まれ、各クレーム自身は、本発明の好ましい態様とは別論として位置づけられる。
【符号の説明】
【００３５】
本発明の理解を深めるために、図面において確認される、構成要素及びその関連番号の以下のリストは、ここに示される。
【００３６】
２    シーリング装置
４Ｕ    上側の締結部材
４Ｌ    下側の締結部材
８    ギャップ
１２Ｕ    上側の締め具
１２Ｌ    下側の締め具
１６    レール
２０    中間部材
２４    左表面部
２８    右表面部
３２    下側の輪郭部
３６    上側の輪郭部
３７    中心点
３８    第一の引出線の終端部
３９    第二の引出線の終端部
４０    凹部
４４    レール
４８    可動のコントロールアーム
５２    固定のコントロールアーム
５６    ヒンジ
５８    ヒンジ締め具
６０    分離部
６４    引き手トラック
６８    引き手
７２    終端地点
７４    シール
８０    ピボット
８４    開口部
８８    シャフト
９２    セグメント
９６    タブ
１００    トップハーフ（上半部）
１０４    ボトムハーフ（底半部）
１０８    縦ヒンジ
１１２    バルブ
１１６    ボタン
Ｌ    縦方向の長さ
【００３７】
図面は、スケール化することは必要ないことを理解されたい。いくつかの例示において、本発明の理解に必要がない細かい内容、又は把握するのに困難である他の細かい内容を表す事は、省略する。勿論、本発明が、ここに示された特定の実施態様に、必ずしも制限されないことは、理解されたい。
【図１】
2009542366.tif 000003
【図２】
2009542366.tif 000004
【図３】
2009542366.tif 000005
【図４】
2009542366.tif 000006
【図５】
2009542366.tif 000007
【図６】
2009542366.tif 000008
【図７】
2009542366.tif 000009
【図８】
2009542366.tif 000010
【図９】
2009542366.tif 000011
【図１０】
2009542366.tif 000012
【図１１】
2009542366.tif 000013
【図１２】
2009542366.tif 000014
【図１３】
2009542366.tif 000015
【図１４】
2009542366.tif 000016
【図１５】
2009542366.tif 000017
【図１６】
2009542366.tif 000018
【図１７】
2009542366.tif 000019
【図１８】
2009542366.tif 000020
【図１９】
2009542366.tif 000021
【図２０】
2009542366.tif 000022
【図２１】
2009542366.tif 000023
【図２２】
2009542366.tif 000024
【図２３】
2009542366.tif 000025
【図２４】
2009542366.tif 000026
【図２５】
2009542366.tif 000027
【図２６】
2009542366.tif 000028
【図２７】
2009542366.tif 000029
【図２８】
2009542366.tif 000030
【図２９】
2009542366.tif 000031
【図３０】
2009542366.tif 000032
【図３１】
2009542366.tif 000033
【図３２】
2009542366.tif 000034
【図３３】
2009542366.tif 000035
【図３４】
2009542366.tif 000036
【図３５】
2009542366.tif 000037
【図３６】
2009542366.tif 000038
【図３７】
2009542366.tif 000039
【図３８】
2009542366.tif 000040
【図３９】
2009542366.tif 000041
【図４０】
2009542366.tif 000042
【図４１】
2009542366.tif 000043
【図４２】
2009542366.tif 000044
【図４３】
2009542366.tif 000045
【図４４】
2009542366.tif 000046
【図４５】
2009542366.tif 000047
【図４６】
2009542366.tif 000048
【図４７】
2009542366.tif 000049
【図４８】
2009542366.tif 000050
【図４９】
2009542366.tif 000051
【図５０】
2009542366.tif 000052
【図５１】
2009542366.tif 000053
【図５２】
2009542366.tif 000054
【図５３】
2009542366.tif 000055
【図５４】
2009542366.tif 000056
【図５５】
2009542366.tif 000057
【図５６】
2009542366.tif 000058
【図５７】
2009542366.tif 000059
【図５８】
2009542366.tif 000060
【図５９】
2009542366.tif 000061
【図６０】
2009542366.tif 000062
【図６１】
2009542366.tif 000063
【図６２】
2009542366.tif 000064
【図６３】
2009542366.tif 000065
【図６４】
2009542366.tif 000066
【図６５】
2009542366.tif 000067
【図６６】
2009542366.tif 000068
【図６７】
2009542366.tif 000069
【図６８】
2009542366.tif 000070
【図６９】
2009542366.tif 000071
【図７０】
2009542366.tif 000072
【図７１】
2009542366.tif 000073
【図７２】
2009542366.tif 000074
【図７３】
2009542366.tif 000075
【図７４】
2009542366.tif 000076
【図７５】
2009542366.tif 000077
【図７６】
2009542366.tif 000078
【図７７】
2009542366.tif 000079
【図７８】
2009542366.tif 000080
【図７９】
2009542366.tif 000081
【図８０】
2009542366.tif 000082
【図８１】
2009542366.tif 000083
【図８２】
2009542366.tif 000084
【図８３】
2009542366.tif 000085
【図８４】
2009542366.tif 000086
【図８５】
2009542366.tif 000087
【図８６】
2009542366.tif 000088
【図８７】
2009542366.tif 000089
【図８８】
2009542366.tif 000090
【図８９】
2009542366.tif 000091
【図９０】
2009542366.tif 000092
【図９１】
2009542366.tif 000093
【図９２】
2009542366.tif 000094
【図９３】
2009542366.tif 000095
【図９４】
2009542366.tif 000096
【図９５】
2009542366.tif 000097
【図９６】
2009542366.tif 000098
【図９７】
2009542366.tif 000099
【図９８】
2009542366.tif 000100
【図９９】
2009542366.tif 000101
【国際調査報告】
2009542366.tif 000102